(57)【要約】【課題】キートップにフランジ部及び押し子部を設けても組付性がよくガタツキのない操作性のよいものにする。【解決手段】押し子挿入孔１６ｂの周縁のフランジ部１１ａの内面が当接する内側面１６ｃと、キー用開口１２の周縁におけるフランジ部側の外側面１２ａとの間には、フランジ部１１ａの外面と押し子部１１ｂの先端との距離Ａと等しい又はそれよりも大きい隙間Ｃを形成し、この隙間Ｃに第２キャビネット４ｂに形成した、隙間Ｃからフランジ部１１ａの厚さを引いた寸法よりも厚さの薄い突起１９を嵌め込む。【選択図】図１
2016162478.tif 000002
【特許請求の範囲】
【請求項１】
筐体を構成する第１キャビネットと第２キャビネットとの合わせ部に、フランジ部及び上記筐体の内部に内蔵した押圧式スイッチを押圧する押し子部を有するキートップが設けられた電子機器において、
上記第１キャビネットに形成され、上記キートップの操作面を露出させるキー用開口を有する外側壁部と、
上記第１キャビネットにおける上記外側壁部よりも上記押圧スイッチ側に形成され、上記押し子部が挿入される押し子挿入孔を有する内側壁部とを備え、
上記押し子挿入孔の周縁の上記フランジ部の内面が当接する内側面と、上記キー用開口の周縁における上記フランジ部側の外側面との間には、上記フランジ部の外面と上記押し子部の先端との距離と等しい又はそれよりも大きい隙間が形成されており、
上記隙間には、上記第２キャビネットに形成した、該隙間から上記フランジ部の厚さを引いた寸法よりも厚さの薄い突起が嵌め込まれている
ことを特徴とする電子機器。
【請求項２】
請求項１に記載の電子機器において、
上記押し子挿入孔に嵌め込まれ、上記押し子部に押し込まれることで上記押圧式スイッチを押圧する押圧部を有するキーパッキンを備えている
ことを特徴とする電子機器。
【請求項３】
請求項２に記載の電子機器において、
上記押し子部は、上記押し子挿入孔内で上記キーパッキンの押圧部に当接するように構成されている
ことを特徴とする電子機器。
【請求項４】
請求項１から３までのいずれか１つに記載の電子機器において、
上記内側壁部は、上記第１キャビネットと上記第２キャビネットとの合わせ面における防水壁を構成している
ことを特徴とする電子機器。
【請求項５】
請求項１から４までのいずれか１つに記載の電子機器において、
上記キートップのフランジ部は、上記第１キャビネットと第２キャビネットとを結合させる方向の少なくとも一方の側面には設けられていない
ことを特徴とする電子機器。
【請求項６】
筐体を構成する第１キャビネットと第２キャビネットとの合わせ部に、フランジ部及び上記筐体の内部に内蔵したスライド式スイッチを操作する押し子部を有するキートップが設けられた電子機器において、
上記第１キャビネットに形成され、上記キートップの操作面を露出させるキー用開口を有する外側壁部と、
上記第１キャビネットにおける上記外側壁部よりも上記スライド式スイッチ側に形成され、上記押し子部が挿入される押し子挿入孔を有する内側壁部とを備え、
上記押し子挿入孔の周縁の上記フランジ部の内面が当接する内側面と、上記キー用開口の周縁における上記フランジ部側の外側面との間には、上記フランジ部の外面と上記押し子部の先端との距離と等しい又はそれよりも大きい隙間が形成されており、
上記隙間には、上記第２キャビネットに形成した、該隙間から上記フランジ部の厚さを引いた寸法よりも厚さの薄い突起が嵌め込まれている
ことを特徴とする電子機器。
【発明の詳細な説明】
【技術分野】
【０００１】
本発明は、筐体を構成する第１キャビネットと第２キャビネットとの合わせ面に、フランジ部及び押し子部を有するキートップが設けられた電子機器に関する。
【背景技術】
【０００２】
従来より、この種の電子機器では、キートップの操作面をキー用開口から露出させると共に、キー用開口の外周にキートップの周縁に設けたフランジ部を当接させて抜け止めしている。
【０００３】
例えば特許文献１のように、押圧スイッチを有する配線基板と、対向させて合わせることにより配線基板を収容する第１筐体及び第２筐体と、操作者の押圧操作により押圧スイッチを押圧するキースイッチとを備えた電子機器は知られている。この電子機器では、第１筐体は、一方の開口が押圧スイッチと対向すると共に、他方の開口が外部側に面する貫通孔と、外部側に面方向に沿って形成された溝とを有し、キースイッチは、第１筐体から一部が露出すると共に、溝に差し込まれるキートップと、キートップと係合すると共に、少なくとも一部が貫通孔に挿入される中継体と、操作者のキートップの押圧操作により押圧スイッチを押圧する押し子とを有する。このキートップは、フランジ部を有するが、押し子がキートップと別体であるため、押し子をキーパッキンに差し込む構造であっても、キートップの組付が容易となっている。
【先行技術文献】
【特許文献】
【０００４】
【特許文献１】特開２０１３−１４３３５５号公報
【発明の概要】
【発明が解決しようとする課題】
【０００５】
しかしながら、上記特許文献１の電子機器では、キートップとは別に中継体を設けなければならず、部品点数が増えると共に作業工数も増えるという問題がある。また、中継体を設けることで、キートップの押圧方向において全体の厚さが厚くなる。
【０００６】
また、キートップを回転させながら押し子を押し子挿入孔に挿入する場合、挿入を可能にするにはキートップの回転方向に対して垂直の側面フランジ部を回転方向側に設けることができないので、キートップのガタツキ防止のため、キートップの回転方向側にフランジ部を設ける必要がある。そうすると、筐体の厚さが増してしまう。この回転方向側のフランジ部を設けないようにするには、回転方向と垂直の側面フランジ部を回転方向側まで延ばす必要がある。そうすると、側面フランジ部を避けるために隙間を大きくする必要があり、筐体が大型化する。
【０００７】
一方で、組付性を重視しすぎると、フランジ部の周辺のキートップの押込方向のガタツキが大きくなりすぎ、操作性が悪化する。
【０００８】
本発明は、かかる点に鑑みてなされたものであり、その目的とするところは、キートップにフランジ部及び押し子部を設けても組付性がよくガタツキのない操作性のよいものにすることにある。
【課題を解決するための手段】
【０００９】
上記の目的を達成するために、この発明では、第１キャビネット側にはフランジ部の周辺に隙間を設けながら、第２キャビネット側に第１キャビネットとの結合時に、その隙間を埋める突起を設けた。
【００１０】
具体的には、本発明では、筐体を構成する第１キャビネットと第２キャビネットとの合わせ部に、フランジ部及び上記筐体の内部に内蔵した押圧式スイッチを押圧する押し子部を有するキートップが設けられた電子機器を前提とし、この電子機器は、
上記第１キャビネットに形成され、上記キートップの操作面を露出させるキー用開口を有する外側壁部と、
上記第１キャビネットにおける上記外側壁部よりも上記押圧スイッチ側に形成され、上記押し子部が挿入される押し子挿入孔を有する内側壁部とを備え、
上記押し子挿入孔の周縁の上記フランジ部の内面が当接する内側面と、上記キー用開口の周縁における上記フランジ部側の外側面との間には、上記フランジ部の外面と上記押し子部の先端との距離と等しい又はそれよりも大きい隙間が形成されており、
上記隙間には、上記第２キャビネットに形成した、該隙間から上記フランジ部の厚さを引いた寸法よりも厚さの薄い突起が嵌め込まれている。
【００１１】
上記の構成によると、第１キャビネット側のフランジ部の周辺に隙間が確保されているので、キートップにフランジ部及び押し子部が設けられていても、その隙間を利用して押し子部を押し子挿入孔に挿入しながら外側面と内側面との間にフランジ部を容易に嵌め込むことができる。そして、フランジ部周辺の隙間は、第１の筐体と第２の筐体とを結合するときに、第２の筐体側の突起が埋め、その突起とフランジ部とが接触すると共に、押し子部と押圧スイッチとが接触（微小な隙間がある場合も含む）し、押圧操作方向及び回転方向に移動しにくくなるので、キートップのガタツキが防止される。なお、「等しい隙間」とは、キートップを第１キャビネットの内側面と外側面との間に挿入するときにキートップを若干傾けても入れ込むことができる程度に隙間の距離が、フランジ部の外面と押し子部の先端との距離よりも若干短くても長くてもよいことを意味する。
【発明の効果】
【００１２】
以上説明したように、本発明によれば、キー用開口における外側面と、押し子挿入孔の周縁の内側面との間にキートップの押込方向にフランジ部の厚さよりも大きな隙間を形成し、この隙間に第２キャビネットに形成した突起を嵌め込むようにしたことにより、キートップにフランジ部及び押し子部を設けても組付性がよくガタツキのない操作性のよいものにすることができる。
【図面の簡単な説明】
【００１３】
【図１】（ａ）が本発明の実施形態１に係る第１キャビネットにおけるキートップ及びその周辺を拡大して示す背面図であり、（ｂ）が図２のIb−Ib線拡大断面図である。
【図２】携帯電話機を示す斜視図である。
【図３】携帯電話機を示す分解斜視図である。
【図４】図２のIV−IV線拡大断面図である。
【図５】第２キャビネット及びその一部拡大図を示す斜視図である。
【図６】（ａ）が実施形態１に係るキートップを示す斜視図であり、（ｂ）実施形態１に係るキートップを他の方向から見た斜視図である。
【図７】（ａ）が実施形態１に係るＣ＝Ａの場合のキートップを挿入する様子を示す断面図であり、（ｂ）実施形態１に係るＣ＝Ａ＋αの場合のキートップを傾けて挿入する様子を示す断面図である。
【図８】（ａ）が実施形態２に係るキートップを示す斜視図であり、（ｂ）実施形態２に係るキートップを他の方向から見た斜視図である。
【図９】本発明の実施形態３に係る図１（ｂ）相当図である。
【発明を実施するための形態】
【００１４】
以下、本発明の実施形態を図面に基づいて説明する。
【００１５】
（実施形態１）
図２及び図３は、本発明の実施形態１の電子機器としての携帯電話機１を示し、この携帯電話機１では、表示部２が設けられた第１の筐体３と、第１キャビネット４ａと第２キャビネット４ｂとが結合される筐体としての第２の筐体４とが、ヒンジ部５を介して折畳み開閉可能に連結されている。表示部２は、例えば保護パネル２ａ、表示パネル２ｂ、ベゼル２ｃを含んでいる。なお、タッチパネルを設ける場合は、保護パネル２ａをタッチパネルとすればよい。第１の筐体３の背面は、例えば、樹脂成形品、金属成形品等よりなる背面カバー３ａで覆われている。一方、第２キャビネット４ｂの背面側は電池カバー４ｃで覆われている。電池カバー４ｃは、第２キャビネット４ｂと一体でもよい。第１キャビネット４ａと第２キャビネット４ｂとの間には、例えば、充電池６、メイン基板７、ＵＳＢコネクタ８、ＵＳＢコネクタホルダ９等が設けられている。
【００１６】
そして、図１及び図４にも示すように、第２の筐体４を構成する第１キャビネット４ａと第２キャビネット４ｂとの合わせ面４ｄ（図２にのみ示す）には、サイドキー１０が設けられている。このサイドキー１０は、第１キャビネット４ａに形成された矩形状のキー用開口１２から操作面が露出するキートップ１１を有する。図６に拡大して示すように、このキートップ１１は、直方体の外周に設けたフランジ部１１ａと、第２の筐体４の内部に内蔵した押圧式スイッチ１３を押圧する例えば円柱状の押し子部１１ｂとを有する。押圧式スイッチ１３は、メイン基板７に電気的に接続されている。なお、押圧式スイッチ１３は、メイン基板７に実装されていてもよい。キー用開口１２は、第１キャビネット４ａの外側壁部１４に形成され、キートップ１１の操作面を露出させる役割を果たす。このフランジ部１１ａは、第１キャビネット４ａと第２キャビネット４ｂとを結合させる方向（第１の筐体４の厚さ方向）の一方側、すなわち、第１キャビネット４ａ側には設けられていない。しかし、第２キャビネット４ｂ側及び上下の側面には、フランジ部１１ａが設けられており、このフランジ部１１ａが後述の第２キャビネット４ｂの突起１９に引っ掛かることで、キートップ１１が確実に抜け止めされている。また、第１キャビネット４ａの側のフランジ部１１ａを省略することで、第２の筐体４の厚さが抑えられている。
【００１７】
第１キャビネット４ａにおける外側壁部１４よりも内側には、所定の距離を空けて内側壁部１６が立設されている。この内側壁部１６は、第１キャビネット４ａと第２キャビネット４ｂとの合わせ面４ｄにおける防水壁を構成し、この背面側の平坦面１６ａに矩形枠状の防水パッキン１７が挟み込まれるようになっている。キーパッキン１８と防水壁及び防水パッキン１７とで防水効果が確保される。この内側壁部１６は、キートップ１１から突出する押し子部１１ｂが挿入される押し子挿入孔１６ｂを有する。
【００１８】
押し子挿入孔１６ｂには、キーパッキン１８の円柱状の膨出部が嵌め込まれ、キーパッキン１８よりも内側に水等が浸入するのを防止している。キーパッキン１８は、膨出部の先端に、押し子部１１ｂに押し込まれることで押圧式スイッチ１３を押圧する押圧部１８ａを有する。例えば、押圧部１８ａは、硬質プラスチックよりなり、シリコンゴムなどの弾性部材で覆われている。なお、この押圧部１８ａは、硬質のプラスチックではなく、シリコンゴムで一体に設けられていてもよい。そして、図１（ｂ）及び図４に示すように、押し子部１１ｂは、押し子挿入孔１６ｂ内でキーパッキン１８の押圧部１８ａに当接するようになっている。
【００１９】
図１及び図４に示すように、キー用開口１２の周縁におけるフランジ部１１ａ側の外側面１２ａと、押し子挿入孔１６ｂの周縁のフランジ部１１ａの内面が当接する内側面１６ｃとの間には、キートップ１１の押込方向にフランジ部１１ａの厚さよりも大きな隙間Ｃが形成されている。具体的には、隙間Ｃの大きさは、フランジ部１１ａの外面と押し子部１１ｂの先端との距離Ａとほぼ等しい。例えば、本実施形態では、図７（ａ）に示すように、Ｃ＝Ａであってもよいが、挿入しやすさを考慮してＣ＝Ａ＋α（例えば、αは、１ｍｍ）といった寸法差が許容される。ここでは、図７（ｂ）に示すように、キートップ１１を第１キャビネット４ａの内側面１６ｃと外側面１２ａとの間に挿入するときにキートップ１１（押し子部１１ｂ）を若干傾けても入れ込むことができる程度の寸法差が許容される。なお、挿入のしやすさという点では不利ではあるが、図７（ａ）のように挿入する場合に、Ｃを押し込んで挿入できる程度にＣがＡに対して若干短くてもよい。
【００２０】
そして、図１（ｂ）に示すように、隙間Ｃには、第２キャビネット４ｂに形成した突起１９（図５に詳細を示す）が嵌め込まれている。キートップ１１のストロークを確保するために、突起１９は、隙間Ｃからフランジ部１１ａの厚さを引いた寸法よりも厚さが薄くなっている。
【００２１】
このように、本実施形態では、フランジ部１１ａの周辺に隙間Ｃが確保されているので、キートップ１１にフランジ部１１ａ及び押し子部１１ｂが設けられていても、その隙間Ｃを利用して外側面１２ａと内側面１６ｃとの間にフランジ部１１ａ及び押し子部１１ｂを嵌め込むことができる。フランジ部１１ａ周辺の隙間Ｃは、第１の筐体３と第２の筐体４とを結合するときに、第２の筐体４側の突起１９が埋める。それにより、その突起１９の押圧スイッチ側当接面１９ａとフランジ部１１ａとが接触すると共に、押し子部１１ｂと押圧部１８ａとが接触し、押圧操作方向に移動しにくくなる。また、第２の筐体４の厚さ方向に回転する方向の移動も規制する。このため、キートップ１１のガタツキが防止される。ここで、接触するとは、微小な隙間がある場合も含み、わずかな隙間がある場合でも、ガタツキが生じにくい。このような移動規制は、従来のような厚さ方向に回転して押し込むタイプのキートップでは、回転させながら挿入できるようにするために、回転方向の移動規制が不充分となる。このため、本実施形態では、ガタツキ防止効果が従来の回転式挿入タイプのキートップに比べて極めて優れている。
【００２２】
また、フランジ部１１ａは、両者を結合させる方向と垂直な方向に設けられているので、それによりキートップ１１の抜け止めが行われる。
【００２３】
また、従来のような押し子挿入孔から先端が出るような押し子部の長さに比べ、本実施形態では、押し子部１１ｂの押込方向の長さを抑えているので、押し子部１１ｂをほとんど傾けることなく、第１キャビネット４ａにキートップ１１を嵌め込むことができる。
【００２４】
したがって、本実施形態に係る携帯電話機１によると、キートップ１１にフランジ部１１ａ及び押し子部１１ｂを設けても組付性がよくガタツキのない操作性のよいものにすることができる。
【００２５】
（実施形態２）
図８（ａ）及び図８（ｂ）は本発明の実施形態２を示し、キートップ１１１におけるフランジ部１１１ａの形状が異なる点で上記実施形態１と異なる。なお、以下の各実施形態では、図１〜図６と同じ部分については同じ符号を付してその詳細な説明は省略する。
【００２６】
本実施形態では、キートップ１１１のフランジ部１１１ａは、第２キャビネット４ｂ側の側面にも設けられておらず、上下側面にのみ設けられている。
【００２７】
このようにすれば、第２の筐体４の厚さをさらに薄くすることもできる。この場合、上下側面のフランジ部１１１ａで確実に抜けを防止するようにすればよい。
【００２８】
（実施形態３）
図９は本発明の実施形態３を示し、押圧スイッチ１３ではなく、スライド式スイッチ２１３がメイン基板７に実装されている点で、上記各実施形態と異なる。スライド式スイッチ２１３はメイン基板７に実装されていなくても、メイン基板７に電気的に接続されていればよい。
【００２９】
すなわち、キートップ２１１は、図９の上下方向に操作することで、スライド式スイッチ２１３をオンオフ操作するように構成されている。キートップ２１１の押し子部２１１ｂは、スライド式スイッチ２１３を挟み込むような形状となっている。
【００３０】
このような実施形態でも、同様に隙間Ｃの大きさをフランジ部２１１ａの外面と押し子部２１１ｂの先端との距離Ａとほぼ等しくなるようにすれば、上記各実施形態と同様の作用効果が得られる。
【００３１】
（その他の実施形態）
本発明は、上記実施形態について、以下のような構成としてもよい。
【００３２】
すなわち、上記実施形態では、筐体は、折畳み式の携帯電話機１の第２の筐体４としたが、第１の筐体３でもよく、第１キャビネット４ａ及び第２キャビネット４ｂのサイドキー１０周辺以外の構成は特に限定されない。
【００３３】
上記実施形態では、キーパッキン１８に硬質の押圧部１８ａを設け、この押圧部１８ａを介してキートップ１１操作時の荷重を押圧式スイッチ１３に伝えるようにしているが、キートップ１１に加わった荷重をキーパッキン１８を介さずに押圧式スイッチ１３に伝えるようにしてもよい。
【００３４】
また、キートップ１１は単一の材料で形成される必要はなく、外部側が金属で内部側が樹脂、外部側が硬質樹脂で内部側がゴムやエラストマーを含む軟質樹脂等、任意の材料の組み合わせで形成されてよい。
【００３５】
上記実施形態では、電子機器は、折畳み式の携帯電話機１としたが、第１の筐体と第２の筐体とが相対的にスライド移動するスライド式携帯電話機であってもよい。その場合にサイドキー１０は、いずれの筐体のどの位置に設けられていてもよい。また、折畳み式ではなく、スマートフォンのように１つの筐体のみで構成されるストレートタイプの携帯電話機であってもよい。その場合も、サイドキー１０は、どの位置に設けられていてもよい。さらに、電子機器は、タブレット端末、ＰＨＳ（Personal Handy-phone System ）、ＰＤＡ(Personal Digital Assistant)、パソコン、モバイルツール、ウェアラブル端末、電子辞書、電卓、ゲーム機等であってもよく、小型の液晶ディスプレイ、液晶テレビ、ブルーレイディスクレコーダ、ＤＶＤレコーダ等であってもよい。
【００３６】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３７】
１      携帯電話機（電子機器）
２      表示部
２ａ    保護パネル
２ｂ    表示パネル
２ｃ    ベゼル
３      第１の筐体
３ａ    背面カバー
４      第２の筐体（筐体）
４ａ    第１キャビネット
４ｂ    第２キャビネット
４ｃ    電池カバー
４ｄ    合わせ面
５      ヒンジ部
６      充電池
７      メイン基板
８      ＵＳＢコネクタ
９      ＵＳＢコネクタホルダ
１０      サイドキー
１１      キートップ
１１ａ    フランジ部
１１ｂ    押し子部
１２      キー用開口
１２ａ    外側面
１３      押圧式スイッチ
１４      外側壁部
１６      内側壁部
１６ａ    平坦面
１６ｂ    押し子挿入孔
１６ｃ    内側面
１７      防水パッキン
１８      キーパッキン
１８ａ    押圧部
１９      突起
１９ａ    押圧スイッチ側当接面
１１１      キートップ
１１１ａ    フランジ部
【図１】
2016162478.tif 000003
【図２】
2016162478.tif 000004
【図３】
2016162478.tif 000005
【図４】
2016162478.tif 000006
【図５】
2016162478.tif 000007
【図６】
2016162478.tif 000008
【図７】
2016162478.tif 000009
【図８】
2016162478.tif 000010
【図９】
2016162478.tif 000011